(57)【要約】  【課題】  本発明による量子転換器は、外部から電気などのエネルギー供給を必要とせず、当転換器内に自然に電磁場を発生形成させるものであり、当転換器内を通過する物質に電気的磁気的作用をし、通過物質の素性や特性に変化をもたらすものである。【解決手段】  本発明の量子転換器は内面に連続した凹凸または不連続の凹凸を形成したステンレス鋼製の第１円筒体の周囲を囲むように、内面に連続した凹凸または不連続の凹凸を形成したステンレス鋼製の六角筒体を複数配し、これらをステンレス鋼製の円筒体に格納させ内部に物質を通過させるものである。量子転換器を構成する材質の磁性と放電力、および形状から発生する磁気との相乗効果によって、安定した電磁場を形成し、量子転換器内を通過する物質の素性や特性に変化をもたらす。小型で非常に使用がしやすく安全性が高いものであり、空気清浄、汚水排水処理、水質改善などの目的に使用ができる。【選択図】  図６
2008132481.tif 000002
【特許請求の範囲】
【請求項１】
内面に連続した凹凸または不連続の凹凸を形成した、長さ１５ｍｍから５０ｍｍのステンレス鋼製の第１円筒体の周囲を囲むように、内面に連続した凹凸または不連続の凹凸を形成した、長さ１５ｍｍから５０ｍｍで、第１円筒体の内外径とほぼ同等径のステンレス鋼製の六角筒体を複数配置し、これらをステンレス鋼製の第２円筒体内に格納し、これら全体の内部に物質を通過させる量子転換器。
【請求項２】
内面に連続した凹凸または不連続の凹凸を形成した、長さ１５ｍｍから５０ｍｍのステンレス鋼製の第１円筒体の周囲を囲むように、別な第１円筒体を複数配置し、これらをステンレス鋼製の第３円筒体内に格納し、これら全体の内部に物質を通過させる量子転換器。
【請求項３】
請求項１または請求項２のいずれかに記載の量子転換器を中心に配し、その周囲に中心に配した量子転換器と同じ量子転換器を複数配置し、これら全体を第４円筒体内に格納し、これら全体の内部に物質を通過させる量子転換器。
【請求項４】
請求項１または請求項２のいずれかに記載の第1円筒体および六角筒体は、複数に分割された短筒が直列に配置されている量子転換器。
【請求項５】
請求項１または請求項２のいずれかに記載の筒体の内面に形成した凹凸は、そのピッチが１ｍｍ以下である量子転換器。
【請求項６】
請求項１〜５のいずれかに記載の量子転換器は、これと同じ量子転換器同士を複数直列に配置してこれら全体を第５円筒体内に格納し、これら全体の内部に物質を通過させる量子転換器。
【請求項７】
請求項１〜６のいずれかに記載の第２〜５の格納筒体を、ステンレス鋼製の六角筒体とした量子転換器。
【発明の詳細な説明】
【技術分野】
【０００１】
本発明は、内面に連続した凹凸または不連続の凹凸を形成し、あるいはその内面の凹凸をピッチ１ｍｍ以下の連続した凹凸または不連続の凹凸としたステンレス鋼製の円筒体と、内面に連続した凹凸または不連続の凹凸を形成し、あるいはその内面の凹凸をピッチ１ｍｍ以下の連続した凹凸または不連続の凹凸としたステンレス鋼製の六角筒体の配置からなり、これらをステンレス鋼製の円筒体または六角筒体内に格納し、これら全体の内部に物質を通過させる量子転換器に関するものである。また、前述の量子転換器を中心に配し、その周囲を囲むように、中心に配した量子転換器と同じ量子転換器を配し、これら全体をステンレス鋼製の円筒体または六角筒体内に格納した量子転換器に関するものである。
【０００２】
量子転換とは、量子が外部から電気的磁気的影響や刺激を受けた時に原子や原子を構造する物質に作用し原子に変化をもたらし他の元素に性質を変えることである。つまり、これらの変化は原子を構成する物質の最小単位である量子が転換した結果、生じることであり、本発明の量子転換器は、これらの現象を転換器内に物質が通過する際に生じさせ通過物質の素性を変化させるものである。
【背景技術】
【０００３】
上記に記載のように、量子は外部から電気的磁気的影響を受けた時に他の元素に性質を変える特性がある。本発明の量子転換器は、外部から電気などのエネルギー供給を受け、これによって磁気を発生させ電気的磁気的影響や刺激を与えるのではなく、転換器そのもの自体が磁気を発生し電磁場を形成する構造となっている。電磁場を形成する一つの要因は、ステンレス鋼が持つ磁性と放電力によるものである。またもう一つの要因は、内面に凹凸が形成されていることにより、その内部を物質が通過する際の摩擦や衝突により発生する磁気によるものである。これらが起因し、また相乗効果となって、更により安定した電磁場を形成し、量子転換器内を通過する物質がこの磁気を受け電荷する。そのため、物質が通過する際に量子転換を起こし素性が変化する。また、変化した物質は電荷しているため、その影響下にある他の対象物質も磁気を受けてその素性と特性に変化が起こると考察される。
【０００４】
脳神経を構造する器官に「チューブリン微小管」がある。この微小管の構造六角形が格子状に配列し、中空の筒状で深部は螺旋が施されている。この微小管は電気的活動をし、生物光子（バイオフォトン）を伝達する器官として量子生物学分野で認められつつある。当転換器の構造及びその働きなどはチューブリン微小管と非常に酷似している。量子は物理量の最小単位で、原子を構造する電子や原子核、原子核を構成する陽子、中性子、中間子、さらに陽子を構成するクオークなどの総称であり、量子は、その性質から電気的磁気的影響、刺激を受け、原子を構成する電子や原子核、原子核内のクオークなどの働きに影響を与える。この外部からの電気的磁気的外電磁場のエネルギー、またエネルギー作用により、原子は原子核の構成粒子や電子スピンが影響を受けて結果的に原子に変化が起こる。これを量子の転換と呼び、原子に変化が起こることで他の元素に性質を変えることになる。量子転換は、自然界においてこれらの条件を満たした時、日常的に起こっている物理現象でもある。
【発明の開示】
【発明が解決しようとする課題】
【０００５】
電磁場や磁気を発生形成させる装置は、その機能を発生させるために電気などのエネルギー供給を必要としコストがかかる。また、装置が大型化する傾向があり、維持費、設置場所の確保、多大な運搬費を必要とする。また、磁石を使用する装置は重量を要し外部に対する磁力の影響も考えなければならない。また、アースが必要となる装置もあり、設置場所が限定され使用したくても使用できない場合がある。
【０００６】
本発明による量子転換器は、外部から電気などのエネルギー供給により、電磁場や磁気を発生させるのではなく、量子転換器内に自然に電気的磁気的外電磁場を発生し形成させるものである。また、非常にシンプルな構造であり小型のため設置がしやすく一般的にも非常に使用しやすい装置である。また、維持費や運搬にかかる費用も抑えることができる。
【課題を解決するための手段】
【０００７】
本発明の量子転換器は、内面に連続した凹凸または不連続の凹凸を形成した、長さ１５ｍｍから５０ｍｍのステンレス鋼製の第１円筒体の周囲を囲むように、内面に連続した凹凸または不連続の凹凸を形成した、長さ１５ｍｍから５０ｍｍで、第１円筒体の内外径とほぼ同等径のステンレス鋼製の六角筒体を複数配置し、これらをステンレス鋼製の第２円筒体または六角筒体内に格納したものである。より詳しくは、長さが１５ｍｍから５０ｍｍ、内径が２．５ｍｍから３．５ｍｍ、外径が５．０ｍｍから７．０ｍｍで、内面にピッチ０．４ｍｍから１．０ｍｍの連続した凹凸を形成したステンレス鋼製の第１円筒体を中心に配し、該円筒体の周囲を囲むように、長さが１５ｍｍから５０ｍｍ、内径が２．５ｍｍから３．５ｍｍ、平径が５．０ｍｍから７．０ｍｍで、内面にピッチ０．４ｍｍから１．０ｍｍの連続した凹凸を形成したステンレス鋼製の六角筒体を複数配置し、これらをステンレス鋼製の第２円筒体または六角筒体内に格納したものである。
【０００８】
また、本発明では、前記の第１円筒体の周囲を囲むように、別な第１円筒体を複数配置し、これらをステンレス鋼製の第３円筒体または六角筒体内に格納させたものである。
【０００９】
さらにまた、本発明では、前記のいずれかに記載の量子転換器を中心に配し、その周囲に中心に配した量子転換器と同じ量子転換器を複数配置してこれら全体をステンレス鋼製の第４円筒体または六角筒体内に格納させたものでもある。
【００１０】
また、本発明では、前述の第１円筒体または六角筒体を、複数に分割された短筒を直列に配置することで構成することも可能である。
【００１１】
加えて本発明では、第１円筒体および六角筒体の内面に形成した凹凸を連続したものから不連続の凹凸に変更することも可能である。
【００１２】
さらにまた本発明では、前記のいずれかに記載の量子転換器と同じ量子転換器同士を直列に配置もしくは結合し、これら全体をステンレス鋼製の第５の円筒体もしくは六角筒体内に格納することを意図したものでもある。
【発明の効果】
【００１３】
本発明の量子転換器は、電磁場を形成するために外部から電気などのエネルギー供給を必要とせず、転換器そのもの自体が電磁場を発生し形成する構造となっている。本発明の量子転換器はステンレス鋼が持つ磁性と放電力、そして内面に凹凸が形成されていることにより、その内部を物質が通過する際に生じる摩擦と衝突により発生する磁気との相乗効果によって、より安定した電磁場を発生形成し物質が磁気を受け、電荷しすい構造となっている。そのため、通過物質は電磁場の影響を受け量子転換を起こし素性が変化し、また、変化した物質は電荷しているため、その影響下にある対象物質も磁気を受けて素性と特性に変化が起こる。
【００１４】
次に示す実施例１の量子転換器を使用し、各種実験を行った結果を下記に記す。
【実施例１】
【００１５】
図１は、中心に配する、長さ４０ｍｍ、外径６ｍｍ、内径３ｍｍで内面にピッチ０．５ｍｍの連続した螺旋状の凹部２と凸部３からなる凹凸を形成したステンレス鋼製の円筒体１の断面図である。以下、これを第１円筒体という。
図２は、第１円筒体の周囲に配する、長さ４０ｍｍ、平径６ｍｍ、内径３ｍｍで内面に円筒体１と同様にピッチ０．５ｍｍの連続した螺旋状の凹凸を形成したステンレス鋼製の六角筒体４の断面図である。以下、これを六角筒体という。
図３は、これら筒体の縦断面図である。図４は、第１円筒体とその周囲に配した六角筒体の全体を内部に格納するためのステンレス鋼製の最外殻の円筒体５の斜視図である。以下、これをケース１という。
【００１６】
図５は、ケース１に代えて第１円筒体、六角筒体の量子転換器を格納するためのステンレス鋼製の六角筒体７の斜視図であり、以下、これをケース２という。
【００１７】
ついで、図６に示すように、第１円筒体１と接し、第１円筒体の周囲を囲むように六角筒体４を６個配し、この第１円筒体および六角筒体全体をケース１に格納し、ケース１の両端開口部１１に、物質の通過を阻害せずにかつ第１円筒体および六角筒体がケース１より飛び出ないように固定するためのステンレス鋼製の格子状のストッパー６を設けている。
【試験１】
【００１８】
容器に入れた池の水と海水をそれぞれ対象水とし、これに量子転換器を通過させた空気を送り込み、各対象水に対してバブリングを行い一般細菌数の変化を確認した。また、比較のため、対象水の初期値と、量子転換器を使用せず通常の空気を同条件で送り込んだ場合の一般細菌数も測定した。実験の条件は、空気の吹込み条件とて通気速度を１分間に５Ｌ／ｍｉｎ、通気時間１ｍｉｎ、通気温度は常温とし、池の水、海水量は共に約５Ｌとした。また実験方法は空気をフローメーターで所定速度に調節しながら量子転換器内を通過させ、池の水または海水中に吹き込んだ。その比較結果を表１に示す。本発明の量子転換器を使用すると、発生する泡の形状、サイズに限定されることなく、また、薬剤などを使用せずに池の水、海水の一般細菌の繁殖を短時間で抑制する効果を得られた。また、量子転換器未使用の場合は、菌数の減少はみられなかった。
【００１９】
【００２０】
【表１】
2008132481.tif 000003
【試験２】
【００２１】
汚水槽内の排水を対象とし、継続的に1週間、量子転換器内を通過させた空気を送り込み、バブリングをし、排水の濁度とノルマルヘキサン抽出物質量（動植物油）の測定をした。比較のため、実験開始時、および実験開始1週間後の排水の濁度とノルマルヘキサン抽出物質量（動植物油）も測定した。計量方法はJIS  K  ０１０２および上水試験方法VI−１  ３．３とし、その結果を表２に示す。本発明の量子転換器を使用すると、油分分解と汚水の水質改善ができ、また臭気を抑えることも可能となる。
【００２２】
【００２３】
【表２】
2008132481.tif 000004
【試験３】
【００２４】
池の水を対象水とし、量子転換器内を通過させ、処理した池の水の一般細菌数を測定した。また比較のため、量子転換器を通過させる前の池の水の一般細菌数を測定し、これを初期値とした。検査方法はJIS  K  ０１０２  ７２．２標準寒天平板培養法を使用した。測定は量子転換器を通過し処理した池の水を１０倍希釈し、１ｍｌを培地に混釈し一定温度で培養し培地に繁殖した菌数を測定した。その結果を表３に示す。量子転換器内を通過することにより一般細菌の繁殖を抑制し減少させる効果がある。また、量子転換器内に空気を送風する方法と通水する方法を併用することにより、より一層短時間に一般細菌の繁殖を抑制し減少させられると推測できる。
【００２５】
【００２６】
【表３】
2008132481.tif 000005
【００２７】
以上の実験結果より、本発明の量子転換器を使用すると、物質が通過する際に量子転換を起こし素性が変化する。また、変化した物質は電荷しているため、その影響下にある対象物質も磁気を受けて量子転換が起こり、また素性に変化が起こり、一般細菌が繁殖できない環境を作り出し、結果、細菌が減少すると考察できる。また量子転換器は電磁場を形成発生するため外部からのエネルギー供給を必要としないため、環境に配慮した装置でもあると言える。
【００２８】
次に本発明の別な実施例を説明する。
【実施例２】
【００２９】
図７に示すように、中心に配した第１円筒体１と接し、かつ第１円筒体の周囲を囲むように別の第１円筒体１を６個配し、これら全体をケース１に格納し、ケース１の両端開口部１１に実施例１と同様にステンレス鋼製の格子状のストッパー６を設けたものである。
【実施例３】
【００３０】
図８に示すように、中心に配した第１円筒体１と接し、かつ第１円筒体の周囲を囲むように六角筒体を６個配し、６個配した六角筒体と接するように、また、その周囲を囲むように、更に１２個の六角筒体を配し、これら第１円筒体および六角筒体をケース１に格納し、ケース１の両端開口部１１に実施例１と同様にステンレス鋼製の格子状のストッパー６を配したものである。つまり、図８は図６の量子転換器内の最外周の六角筒体の周囲に６の倍数の六角筒体を配したものでる。このように中心に配した第１円筒体に接するように、また、その周囲を囲むように１周につき六角筒体を６の倍数配していくことにより大型化できる。
【００３１】
例えば、中心に配した第１円筒体に接するように、かつ第１円筒体の周囲を囲むように第１円筒体または六角筒体を６個配し、６個配した第１円筒体または六角筒体を囲むように、更に１２個の第１円筒体または六角筒体を配するように、１周につき第１円筒体または六角筒体を６の倍数増やして配していくことにより大型化できる。
【実施例４】
【００３２】
図９に示すように、図６に示した量子転換器８を中心に配し、この中心の量子転換器と接し、かつ量子転換器８の周囲を囲むように同形の量子転換器８を６個配し、これら全体を大径なケース１に格納し、このケースの両端開口部１１に、実施例１と同様にステンレス鋼製の格子状のストッパー６を設けたものである。
【００３３】
この構造の変形例として中心の量子転換器を２周取り囲むことも可能である。例えば、図１０に示すように、図６で示した量子転換器８を中心に配し、この量子転換器８と接し、かつこれの周囲を囲むように同形の量子転換器８を６個１周目として配し、その外側に２周目の量子転換器８取り囲むように配することもできる。この考えに従って、中心の量子転換器を取り囲む量子転換器８の取り巻き状態が３周以上となるよう個数を増加させれば、用途に応じてさらに大径な転換器を提供できる。
【実施例５】
【００３４】
図１１は図６の量子転換器８をケース１に格納した例を、側面から見た模式図であり、図１２は、同じく図９の量子転換器９をケース１に格納した例を側面から見た模式図である。この図１２では、ケースの開口部１１に格納した量子転換器９が外側に飛びださないよう、ケースにはその内面で格子状ストッパー６の外側に対応する位置に内向きに張り出した突起状のストッパー１０を設け、さらにケースの両端開口部１１を中央部分よりもすくめて小径とした場合のケースの模式図である。
前記量子転換器を図６のようにケース１に格納する場合は、各筒体同士を溶接などの手段を用いて固定してもよい。また、量子転換器は、この複数を格納するケース１と溶接などの手段を用いて一体に固定してもよい
前記の実施例で説明した第１円筒体及びまたは六角筒体は、複数に分割された短筒を直列に配置または接続して一本の筒体を形成してもよい。その際円筒体または六角筒体同士を溶接などの手段を用いて一体化してもよい。
【００３５】
さらに前記の実施例に記載の円筒体および六角筒体は、その内面に連続した螺旋状の凹凸を形成したが、凹凸は不連続の断続する凹凸としてもよい。
【００３６】
この量子転換器は、実施例では直列方向に１個を想定しているが、実施例のいずれかに記載した量子転換器と同じ量子転換器同士を直列方向に複数並べて用いてもよい。
【００３７】
この量子転換器を格納する外殻容器として、別途適度な強度のケースを用意し、その内部に格納してもよい。
【００３８】
この量子転換器内に物質を流入させる方向については、ケースの左右両端開口部のどちら側からでも流入させることができる。
【比較例】
【００３９】
実施例１の量子転換器と、六角筒体のみを使用した転換器を作り、その中に池の水を通過させ処理した池の水の一般細菌数を測定する比較実験を行なった。
【００４０】
比較例は、六角筒体を中心に配し該六角筒体と接し周囲を囲むように、中心に配した六角筒体と同じ六角筒体を６個配してケース１内に格納し、ステンレス鋼製の格子状のストッパー６を設けたものである。
【００４１】
実験の方法は、実施例１の量子転換器と比較例を使用し、それぞれに池の水を通過させ処理した池の水の一般細菌数を測定した。参考のため、通過させる前の池の水の一般細菌数を測定し、これを初期値とした。検査方法はJIS  K  ０１０２  ７２．２標準寒天平板培養法を使用した。測定は各転換器を通過し処理した池の水を１０倍希釈し１ｍｌを培地に混釈し一定温度で培養し培地に繁殖した菌数を測定した。その結果を表４に示す。
【００４２】
【００４３】
【表４】
2008132481.tif 000006
【００４４】
実施例１の量子転換器は一般細菌の繁殖を抑制し減少させる効果がある。比較例は初期値と比較して一般細菌数が２倍以上増殖しおり、各転換器の結果の差は歴然としている。これらのことから量子転換器を形成する筒体の配置は中心が円筒体であることが最適と判断でき、また本発明の量子転換器には短時間に効率よく細菌の繁殖を抑制し、減少させる効果があることが分かった。
【産業上の利用可能性】
【００４５】
この量子転換器を送風機の空気排出口や配管、またはそれらの装置に取付け、空気を通過させエアレーションすることにより、排水処理や汚水の改善、油分の分解洗浄、池や湖沼、海水などの閉鎖性水域の水質改善に役立つ。
【００４６】
量子転換器を配管に接続し、これに水を通過させることにより配管内の洗浄効果を得られる。また、通過水は機械や部品などの洗浄水としても利用ができ、また量子転換器内を通過した水を霧状にして大気中に放出することにより、大気中の細菌に対して抑制効果をもたらし大気の清浄効果や消臭効果を得られる清浄装置として使用ができる。
【００４７】
さらにまた、この量子転換器を通過させた空気と量子転換器を通過させた水とを併用することにより、更なる効果を期待することができる。
【図面の簡単な説明】
【００４８】
【図１】第１円筒体の上面図。
【図２】六角筒体の上面図。
【図３】第１円筒体および六角筒体の内面に螺旋状凹凸を形成した場合の断面図。
【図４】各筒体または量子転換器を格納する円筒体のケース１の斜視図。
【図５】各筒体または量子転換器を格納する六角筒体のケース２の斜視図。
【図６】第１円筒体の周囲に六角筒体を６個配しケース１に格納し、格子状のストッパー６を有した量子転換器の上面図。
【図７】第１円筒体の周囲に別の第１円筒体を６個配しケース１に格納し、格子状のストッパー６を有した量子転換器の上面図。
【図８】第１円筒体の周囲に六角筒体を６個配し、６個配した六角筒体の周囲に、更に六角筒体を１２個配し、これら全体をケース１に格納し格子状のストッパー６を有した量子転換器の上面図。
【図９】中心に配した図６の量子転換器の周囲に、それと同じ量子転換器を６個配しこれら全体をケース１に格納し、格子状のストッパー６を有した量子転換器の上面図。
【図１０】中心に配した図６の量子転換器の周囲に、それと同じ量子転換器を６個配し、６個配した量子転換器の周囲に、更に同じ量子転換器を１２個配し、これら全体をケース１に格納し格子状のストッパー６を有した量子転換器の上面図。
【図１１】図６の量子転換器をケース１に格納し格子状のストッパー６を有した場合のケース１の側面図。
【図１２】図９の量子転換器をケース１に格納し、ケース１の内面に突起状のストッパー１０を有し、更に格子状のストッパー６を有し、ケース１の両端開口部１１を小さくした場合のケース１の側面図。
【符号の説明】
【００４９】
１    第１円筒体
２    凹部
３    凸部
４    六角筒体
５    最外殻の円筒体５
６    格子状のストッパー
７    ケース２
８    図６の量子転換器
９    図９の量子転換器
１０  突起状のストッパー
１１  開口部
【図１】
2008132481.tif 000007
【図２】
2008132481.tif 000008
【図３】
2008132481.tif 000009
【図４】
2008132481.tif 000010
【図５】
2008132481.tif 000011
【図６】
2008132481.tif 000012
【図７】
2008132481.tif 000013
【図８】
2008132481.tif 000014
【図９】
2008132481.tif 000015
【図１０】
2008132481.tif 000016
【図１１】
2008132481.tif 000017
【図１２】
2008132481.tif 000018